(57)【要約】【課題】  発注時の単位と納入時の単位が異なる場合であっても、発注量の確認やコスト計算を効率的に行うことができるコンクリート用材料発注およびコスト計算プログラムを提供することである。【解決手段】  発注する材料数量を入力して、発注単位での材料数量データとして記憶装置に格納するステップと、発注単位での材料数量と納入単位での材料数量とを相互に変換するための係数である発注単位換算係数を入力して、発注単位換算係数データとして記憶装置に格納するステップと、発注単位換算係数データに基づいて、納入単位での材料数量データを求めて記憶装置に格納するステップとをコンピュータに実行させることを特徴とするプログラムが提供される。【選択図】  図１
2013003808.tif 000002
【特許請求の範囲】
【請求項１】
コンクリート用材料発注およびコスト計算プログラムであって、
発注する材料数量を入力して、発注単位での材料数量データとして記憶装置に格納するステップと、
発注単位での材料数量と納入単位での材料数量とを相互に変換するための係数である発注単位換算係数を入力して、発注単位換算係数データとして記憶装置に格納するステップと、
前記発注単位換算係数データに基づいて、納入単位での材料数量データを求めて記憶装置に格納するステップと、
をコンピュータに実行させることを特徴とするプログラム。
【請求項２】
材料に関する納入単価が予め記憶装置に格納されており、
納入単位での前記材料数量データ及び前記納入単価を基にして、材料の納入コストを求めて記憶装置に格納するステップを更に含む、
ことを特徴とする請求項１に記載されたプログラム。
【発明の詳細な説明】
【技術分野】
【０００１】
本発明は、コンクリート用材料の発注やコスト計算に用いられる材料発注およびコスト計算プログラムに関する。
【背景技術】
【０００２】
コンクリートは、複数の材料（セメント、骨材、混和材）から構成されるものであるが、その製造に際して、各材料を業者に発注して必要量を納入してもらい、納入された材料により生コンクリートが製造され、建設工事に供されている。
【発明の開示】
【発明が解決しようとする課題】
【０００３】
しかしながら、コンクリート材料である骨材については、慣習上、必要量が質量（ｔｏｎ）で発注されるにもかかかわらず、納入が容量（ｍ3 ）で行われる場合があるが、このような場合には、発注時の単位と納入時の単位が異なるため、発注量の確認やコスト計算に手間がかかるという課題がある。
【０００４】
本発明は、このような状況に鑑みて案出されたものであって、発注時の単位と納入時の単位が異なる場合であっても、発注量の確認やコスト計算を効率的に行うことができるコンクリート用材料発注およびコスト計算プログラムを提供することを目的としている。
【課題を解決するための手段】
【０００５】
本願請求項１に記載のコンクリート用材料発注およびコスト計算プログラムは、発注する材料数量を入力して、発注単位での材料数量データとして記憶装置に格納するステップと、発注単位での材料数量と納入単位での材料数量とを相互に変換するための係数である発注単位換算係数を入力して、発注単位換算係数データとして記憶装置に格納するステップと、前記発注単位換算係数データに基づいて、納入単位での材料数量データを求めて記憶装置に格納するステップとをコンピュータに実行させることを特徴とするものである。
【０００６】
本願請求項２に記載のコンクリート用材料発注およびコスト計算プログラムは、前記請求項１のプログラムにおいて、材料に関する納入単価が予め記憶装置に格納されており、納入単位での前記材料数量データ及び前記納入単価を基にして、材料の納入コストを求めて記憶装置に格納するステップを更に含むことを特徴とするものである。
【発明の効果】
【０００７】
本発明のプログラムによれば、発注時の単位と納入時の単位が異なる場合であっても、発注量の確認やコスト計算を効率的に行うことができるので、発注作業の効率化をを図ることができる。
【発明を実施するための最良の形態】
【０００８】
次に、図面を参照して、本発明の好ましい実施の形態に係るコンクリート用材料発注およびコスト計算プログラム（以下「本プログラム」という）について詳細に説明する。図１は、本プログラムの一連の手順を示したフロー図である。
【０００９】
本プログラムは、通常の型式のコンピュータ、すなわち、バスによって相互に接続されたＣＰＵ（中央処理装置）、メモリ、記憶装置であるハードディスク、キーボード等の入力装置、及び表示装置であるディスプレイを有するコンピュータによって実行される。
【００１０】
本プログラムの記憶装置には、予めコンクリート用材料に関するデータがマスタファイルとして記憶装置に格納されている。マスタファイルに格納されるデータには、例えば、材料の種類（細骨材、粗骨材（〜５mm）、粗骨材（５mm〜１５mm）、粗骨材（１５mm〜）、セメント、混和材等）および各材料の単価などのデータが含まれる。
【００１１】
まず最初に、所望のコンクリート用材料を選択する。コンクリート用材料は、例えばプルダウンメニュー等で選択できるようにしてもよいし、任意入力するようにしてもよい。所望のコンクリート用材料が選択されると、マスタファイルから読み出され、材料データとして記憶装置に格納される（第１ステップ）。
【００１２】
次いで、選択した材料の必要量が入力され、発注単位での材料数量データとして記憶装置に格納される（第２ステップ）。
【００１３】
次いで、選択した材料の含水率が入力され、含水率データとして記憶装置に格納される（第３ステップ）。
【００１４】
次いで、発注単位換算係数が入力され、発注単位換算係数データとして記憶装置に格納される（第４ステップ）。ここで、発注単位換算係数とは、発注単位での材料数量と納入単位での材料数量とを相互に変換するための係数である。すなわち、本例では、粗骨材（５mm〜１５mm）の発注単位での材料数量（１０トン）を納品単位での材料数量（？ｍ3 ）に換算する（或いは、その逆の換算を行う）のに用いる係数である。
【００１５】
次いで、発注単位換算係数を基にして、発注単位での材料数量データを納入単位での材料数量データに変換して、納入単位材料数量データとして記憶装置に格納される（第５ステップ）。
【００１６】
最後に、変換された納入単位必要量データに従って、マスタファイルに格納されている材料単価に従ってコスト計算が行われ、納入コストとして記憶装置に格納される（第６ステップ）。
【００１７】
次に具体例に即して、本プログラムの使用について説明する。まず材料選択画面から、「粗骨材（５mm〜１５mm）」を選択する。すると、粗骨材（５mm〜１５mm）に関するデータが、マスタファイルから読み出され、材料データとして記憶装置に格納される。次いで、発注数量（２０ｔｏｎ）を入力すると、発注単位での材料数量データとして記憶装置に格納される。次いで、選択した粗骨材（５mm〜１５mm）の含水率（２０％）が入力され、含水率データとして記憶装置に格納される。次いで、発注単位換算係数（０．８０ｔｏｎ／ｍ3 ）を入力すると、発注単位換算係数データとして記憶装置に格納される。
【００１８】
すると、下記式に従って発注単位材料数量データが納入単位材料数量データに変換される。
まず、含水状態（含水率２０％）の粗骨材（５mm〜１５mm）の発注数要量（２０ｔｏｎ）を絶乾状態の重量に変換すると、
２０ｔｏｎ÷（１＋０．２０）≒１６．６６ｔｏｎ
となる。
次に、絶乾状態の粗骨材（５mm〜１５mm）の重量を容積に変換すると、
１６．６６ｔｏｎ÷０．８０ｔｏｎ／ｍ3 ≒２０．８２ｍ3 
となる。
最後に、マスタファイルに格納されている単価データに従って、発注材料のコストが計算され、記憶装置に格納される。
【００１９】
本発明は、以上の発明の実施の形態に限定されることなく、特許請求の範囲に記載された発明の範囲内で、種々の変更が可能であり、それらも本発明の範囲内に包含されるものであることはいうまでもない。
【００２０】
例えば、前記実施の形態では、予めコンクリート用材料に関するデータがマスタファイルとして記憶装置に格納されているものとして記載されているが、使用に際して諸データを入力するようにしてもよい。
【図面の簡単な説明】
【００２１】
【図１】本発明の好ましい実施の形態に係るコンクリート用材料発注およびコスト計算プログラムの一連の手順を示したフロー図である。
【図１】
2013003808.tif 000003